(57)【要約】      （修正有）【課題】中性線端子及び活線端子の動作温度が高すぎる時すぐに電力切断状態を形成でき、かつ実用性を同時に具備した、絶縁熱伝導部材を備えたコンセントを提供する。【解決手段】コンセントは、中性線端子２と、活線端子３と、絶縁熱伝導部材４と、安全スイッチ５を含み、絶縁熱伝導部材が中性線端子と活線端子の間に配置され、中性線端子と活線端子が初期状態下でいずれも絶縁熱伝導部材との間に間隙を有し、中性線端子と活線端子が動作状態下で間隙が減少または消失されて絶縁熱伝導部材に接触し、動作状態下で生じる熱エネルギーを絶縁熱伝導部材に伝導させ、安全スイッチが中性線端子または活線端子に接続され、危険温度まで温度が上昇すると、安全スイッチが通電状態から電力切断状態になる。【選択図】図１
0003218310.tif 000002
【実用新案登録請求の範囲】
【請求項１】
絶縁熱伝導部材を備えたコンセントであって、中性線端子と、活線端子と、該中性線端子と該活線端子の間に配置された絶縁熱伝導部材と、該中性線端子または該活線端子に接続された安全スイッチを含み、
該中性線端子及び該活線端子は初期状態と動作状態の間で作動するために用いられ、
該中性線端子と該活線端子が初期状態下でいずれも該絶縁熱伝導部材との間に間隙を有し、該中性線端子と該活線端子が動作状態下で該間隙が減少または消失されて該絶縁熱伝導部材に接触し、該中性線端子と該活線端子が該動作状態下で生じる熱エネルギーを該絶縁熱伝導部材に伝導させ、
該安全スイッチが該熱エネルギーを受け取り危険温度まで温度が上昇すると、該安全スイッチが通電状態から電力切断状態になる、ことを特徴とする、絶縁熱伝導部材を備えたコンセント。
【請求項２】
前記中性線端子と該活線端子がいずれも２つの導電弾性片を含み、該絶縁熱伝導部材と相隣する該導電弾性片の間に該間隙があることを特徴とする、請求項１に記載の絶縁熱伝導部材を備えたコンセント。
【請求項３】
さらに組込み座体を含み、該中性線端子、該活線端子、該絶縁熱伝導部材がすべて該組込み座体に組み込まれることを特徴とする、請求項１に記載の絶縁熱伝導部材を備えたコンセント。
【請求項４】
前記組込み座体と該絶縁熱伝導部材が相互に嵌合されることを特徴とする、請求項３に記載の絶縁熱伝導部材を備えたコンセント。
【請求項５】
前記組込み座体上に複数の嵌合柱が設置され、該絶縁熱伝導部材上に複数の嵌合槽が設けられ、該嵌合槽と該嵌合柱が相互に嵌合されることを特徴とする、請求項４に記載の絶縁熱伝導部材を備えたコンセント。
【請求項６】
前記絶縁熱伝導部材の材質がセラミックであることを特徴とする、請求項１に記載の絶縁熱伝導部材を備えたコンセント。
【請求項７】
前記絶縁熱伝導部材の材質が、酸化アルミニウム、ジルコニア、窒化アルミニウム、窒化ケイ素、ケイ素アルミニウム窒素酸化物、炭化ケイ素、酸化ベリリウムのいずれか、または組み合わせであることを特徴とする、請求項１に記載の絶縁熱伝導部材を備えたコンセント。
【請求項８】
前記絶縁熱伝導部材の熱伝導率が、３Ｗ／ｍ・Ｋから３４０Ｗ／ｍ・Ｋの間であることを特徴とする、請求項１に記載の絶縁熱伝導部材を備えたコンセント。
【考案の詳細な説明】
【技術分野】
【０００１】
本考案はコンセントに関し、特に、絶縁熱伝導部材を備えたコンセントに関する。
【背景技術】
【０００２】
電気コネクタの安全性を増進するため、多くの電気コネクタに温度センサー、過熱保護、過負荷保護等の設計が組み合わされている。
【０００３】
関連案としては、中華民国実用新案登録公告第５０５３３４号の「延長コンセントの過負荷保護器」があるが、この案は主に延長コンセント中に過負荷保護器に接続されたスイッチユニット（またはコンセントユニット）の活線導電片を適切に延伸させ、過負荷保護器がハウジング外部に露出された電源入力片を備え、該電源入力片の内部端に過熱すると反る感温片が連接され、感温片の他端が自由端であり、該端が接触点を備え、過負荷保護器がさらに溝部を備え、該活線導電片を該溝部内に進入させて位置決めし、感温片の接触点と常態的に接触させることができる。
【０００４】
上述の第５０５３３４号先行案は、その過負荷保護器の感温片が活線導電片に連接され、過負荷保護器は活線導電片の動作温度が高過ぎるとき、自動的に電力切断状態を形成できるが、過熱箇所が中性線導電片であった場合、すぐに反応させることができない。
【０００５】
また、中華民国特許公告第Ｉ５４７０３４号の「電気コネクタ及びその温度検出機構」があるが、これは主に、熱導体が第１ピンと第２ピンに同時に連接され、熱エネルギーを迅速かつ効果的に熱導体内の温度センサーに伝達することができるものである。
【０００６】
上述の第Ｉ５４７０３４号の熱導体は第１ピンと第２ピンの熱エネルギーを受け取ることはできるが、熱導体がプラグの電気コネクタに配置されており、その他の電気コネクタに応用するときはその他の要素を考慮する必要があるが、比較的高い実用性を有する。
【先行技術文献】
【特許文献】
【０００７】
【特許文献１】中華民国実用新案登録公告第５０５３３４号明細書
【特許文献２】中華民国特許公告第Ｉ５４７０３４号明細書
【考案の概要】
【考案が解決しようとする課題】
【０００８】
本考案の目的は、コンセントの中性線端子及び活線端子の動作温度が高すぎる時すぐに電力切断状態を形成でき、かつ実用性を同時に具備した、絶縁熱伝導部材を備えたコンセントを提供することにある。
【課題を解決するための手段】
【０００９】
本考案の絶縁熱伝導部材を備えたコンセントは、中性線端子と、活線端子と、絶縁熱伝導部材と、安全スイッチを含む。該中性線端子及び該活線端子は初期状態と動作状態の間で作動するために用いられる。該絶縁熱伝導部材は、該中性線端子と該活線端子の間に配置され、該中性線端子と該活線端子が初期状態下でいずれも該絶縁熱伝導部材との間に間隙を有し、該中性線端子と該活線端子が動作状態下で該間隙が減少または消失されて該絶縁熱伝導部材に接触し、該中性線端子と該活線端子が該動作状態下で生じる熱エネルギーを該絶縁熱伝導部材に伝導させる。該安全スイッチは、該中性線端子または該活線端子に接続され、該安全スイッチが該熱エネルギーを受け取り危険温度まで温度が上昇すると、該安全スイッチが通電状態から電力切断状態になる。
【００１０】
さらに、該中性線端子及び該活線端子はいずれも２つの導電弾性片を含み、該絶縁熱伝導部材と相隣する該導電弾性片の間に該間隙がある。
【００１１】
さらに、組込み座体を含み、該中性線端子、該活線端子、該絶縁熱伝導部材がすべて該組込み座体に組み込まれる。
【００１２】
さらに、該組込み座体と該絶縁熱伝導部材が相互に嵌合される。
【００１３】
さらに、該組込み座体上に複数の嵌合柱が設置され、該絶縁熱伝導部材上に複数の嵌合槽が設けられ、該嵌合槽と該嵌合柱が相互に嵌合される。
【００１４】
さらに、該絶縁熱伝導部材の材質はセラミックである。
【００１５】
さらに、該絶縁熱伝導部材の材質は、酸化アルミニウム、ジルコニア、窒化アルミニウム、窒化ケイ素、ケイ素アルミニウム窒素酸化物、炭化ケイ素、酸化ベリリウムのいずれかまたは組み合わせである。
【００１６】
さらに、該絶縁熱伝導部材の熱伝導率は、３Ｗ／ｍ・Ｋから３４０Ｗ／ｍ・Ｋの間である。
【考案の効果】
【００１７】
上述の技術的特徴に基づき、次の効果を達成することができる。
【００１８】
１、安全スイッチは通常活線に接続し、活線の電流の流通または中断を制御するために用いられるが、本考案は中性線端子と活線端子の間に絶縁熱伝導部材を設置しており、活線端子の動作温度が異常に上昇したとき、異常な熱エネルギーを直接安全スイッチに伝達し、安全スイッチが該異常な熱エネルギーを受け取って破壊され、電力の切断を形成することができる。中性線端子が動作状態下で異常な熱エネルギーを発生したとしても、絶縁熱伝導部材を経由して活線端子に伝達され、さらに該安全スイッチに伝達されて、安全スイッチが該異常な熱エネルギーを受け取って破壊され、電力の切断を形成することができ、製品の使用上の安全性が増進される。
【００１９】
２、中性線端子と該活線端子が初期状態下でいずれも絶縁熱伝導部材との間に間隙を有し、中性線端子と該活線端子に活動可能な空間が提供され、プラグの刃の中性線端子及び該活線端子への挿入が阻害されず、製品の実用性が増進される。
【００２０】
３、絶縁熱伝導部材を組込み座体上に嵌合し、所定の位置から離脱しないようにすることができる。
【図面の簡単な説明】
【００２１】
【図１】本考案の実施例の立体外観図である。
【図２】本考案の実施例の立体分解図である。
【図３】本考案の実施例にハウジング、電源コード、過負荷スイッチを組み合わせた平面図である。
【図４】本考案の実施例の中性線端子及び活線端子が初期状態にある平面図である。
【図５】本考案の実施例の中性線端子及び活線端子が動作状態にある平面図である。
【考案を実施するための形態】
【００２２】
上述の技術的特徴を総合し、本考案の絶縁熱伝導部材を備えたコンセントの主な効果は、以下の実施例を通じてはっきりと理解されるであろう。
【００２３】
図１に示すように、本考案の実施例の絶縁熱伝導部材を備えたコンセントは、組込み座体１と、複数の中性線端子２、複数の活線端子３、複数の絶縁熱伝導部材４と、複数の安全スイッチ５を含む。該中性線端子２と、該活線端子３と、該絶縁熱伝導部材４と、該安全スイッチ５はすべて該組込み座体１に組み込まれる。該絶縁熱伝導部材４は該中性線端子２と該活線端子３の間に配置される。
【００２４】
続いて、図１に図２を組み合わせて参照する。本実施例において、該組込み座体１は、第１座体１１と、第２座体１２と、第３座体１３を含み、該中性線端子２と該活線端子３はいずれも該第１座体１１と該第２座体１２の間に組み込まれ、さらに該第１座体１１または該第２座体１２が嵌合または螺合等の固定方法で該第３座体１３上に固定して取り付けられる。本実施例において、該第３座体１３上には複数の嵌合柱１３１が設置され、該絶縁熱伝導部材４の複数の嵌合槽４０と相互に嵌合させるために用いられ、同時に該絶縁熱伝導部材４のずれを回避することができる。但し実施上は異なる嵌合構造や接着、螺合等の固定方法を利用して相互に固定してもよく、実施上これに限定されない。
【００２５】
続いて、図１に図２を組み合わせて参照する。該複数の中性線端子２の間は中性線導電部材２０で接続され、各中性線端子２は２つの導電弾性片２１を含み、各中性線端子２を弾性的に作動させることができる。該複数の活線端子３はそれぞれ相隣する該中性線端子２と対を成して設置される。各活線端子３はいずれも２つの導電弾性片３１と、第１導電部３２を含み、該導電弾性片３１は各活線端子３を弾性的に作動させることができ、各活線端子３の第１導電部３２はいずれも活線導電部材３０の第２導電部３０１と相互に対応する。本実施例において、該複数の活線端子３及び該活線導電部材３０はいずれも該第１座体１１上に固定して設置される。続いて、図３を参照する。該活線端子３の第１導電部３２と該活線導電部材３０の第２導電部３０１の間に該安全スイッチ５が設置され、該安全スイッチ５により該第１導電部３２及び該第２導電部３０１の電気的接続を切替え、該活線端子３及び該活線導電部材３０の導通を制御することができる。実施上、該活線端子３及び該活線導電部材３０と該中性線端子２及び該中性線導電部材２０は置換してもよく、何を活線及び中性線に接続するかで決定できる。該安全スイッチ５は例えばよく見受けられるバイメタルスイッチや、ヒューズスイッチを採用してもよい。
【００２６】
続いて、図３を参照する。詳細には、さらにハウジング６と、電源コード７と、過負荷スイッチ８を含む。該ハウジング６は該組込み座体１と、該中性線端子２と、該活線端子３と、該絶縁熱伝導部材４と、該安全スイッチ５を収容するために用いられ、かつ該ハウジング６上には該中性線端子２及び該活線端子３に対応する複数の差込口６１が設けられる。該電源コード７は中性線７１と、活線７２を含む。該過負荷スイッチ８は、活線入力端８１と、活線出力端８２と、中性線接点８３を含み、該活線７２が該活線入力端８１に電気的に接続され、該活線出力端８２が該活線導電部材３０に電気的に接続される。これにより、該過負荷スイッチ８は過負荷／過熱時、該活線入力端８１及び該活線出力端８２に電力切断を形成させることができる。該中性線接点８３は該中性線７１及び該中性線導電部材２０にそれぞれ電気的に接続される。以下では簡略化のため、ハウジング６、該電源コード７、該過負荷スイッチ８を省略して説明する。
【００２７】
続いて、図４を参照する。該絶縁熱伝導部材４は該中性線端子２と該活線端子３の間に配置され、かつ該絶縁熱伝導部材４は、第１接触面４１と、第２接触面４２を含み、該第１接触面４１及び該第２接触面４２の形状はいずれも該中性線端子２の導電弾性片２１及び該活線端子３の導電弾性片３１に対応する。かつ、該第１接触面４１及び該第２接触面４２はいずれも相隣する該導電弾性片２１との間に間隙Ｓを備えている。該絶縁熱伝導部材４は絶縁性で、かつ熱伝導性が比較的優れた材質であり、例えばセラミック、酸化アルミニウム（熱伝導率３３Ｗ／ｍ・Ｋ）、ジルコニア（熱伝導率３Ｗ／ｍ・Ｋ）、窒化アルミニウム（熱伝導率８０〜１５０Ｗ／ｍ・Ｋ）、窒化ケイ素（熱伝導率１３Ｗ／ｍ・Ｋ）、ケイ素アルミニウム窒素酸化物（熱伝導率２７Ｗ／ｍ・Ｋ）、炭化ケイ素（熱伝導率１３０〜３４０Ｗ／ｍ・Ｋ）、酸化ベリリウム（熱伝導率２８.３Ｗ／ｍ・Ｋ）のいずれか、または組み合わせである。但し、特定の材料に限定されず、熱伝導率が３Ｗ／ｍ・Ｋから３４０Ｗ／ｍ・Ｋの間のその他材質の絶縁熱伝導部材４を選択してもよい。
【００２８】
続いて、図４と図５を参照する。詳細には、該中性線端子２及び該活線端子３にプラグＡの刃Ａ１が挿入されていないとき、該中性線端子２の導電弾性片２１及び該活線端子３の導電弾性片３１が相対的に閉じ合わされて所定の初期状態に位置し、該初期状態下において、該中性線端子２及び該活線端子３は該初期状態下でいずれも該絶縁熱伝導部材４との間に該間隙Ｓを有する。プラグＡの刃Ａ１が該中性線端子２及び該活線端子３に挿入されると、該中性線端子２の導電弾性片２１及び該活線端子３の導電弾性片３１が、該刃Ａ１によって広げられ、相対的に開かれた動作状態に位置し、該間隙Ｓを減少または排除して、該絶縁熱伝導部材４により大面積で接触し、該中性線端子２が該動作状態下において発生する熱エネルギーを該絶縁熱伝導部材４に伝導し、続いて該活線端子３及び該安全スイッチ５に伝導することができる。該安全スイッチ５が該熱エネルギーを受け取って温度が危険な温度まで上昇すると、該安全スイッチ５が通電状態から電力切断状態となる。
【００２９】
上述の実施例の説明を総合すると、本考案の操作、使用及び本考案の効果について充分に理解することができる。以上の実施例は、本考案の最良の実施例に基づくものであり、これらを以って本考案の実施の範囲を限定することはできず、本考案の特許請求の範囲及び明細書の内容に基づいた簡単な同等効果の変化や修飾はすべて本考案の範囲内に含まれる。
【符号の説明】
【００３０】
１  組込み座体
１１  第１座体
１２  第２座体
１３  第３座体
１３１    嵌合柱
２  中性線端子
２１  導電弾性片
２０  中性線導電部材
３  活線端子
３１  導電弾性片
３０  活線導電部材
３０１  第２導電部
３２  第１導電部
４  絶縁熱伝導部材
４０  嵌合槽
４１  第１接触面
４２  第２接触面
５  安全スイッチ
６  ハウジング
６１  差込口
７  電源コード
７１  中性線
７２  活線
８  過負荷スイッチ
８１  活線入力端
８２  活線出力端
８３  中性線接点
Ａ  プラグ
Ａ１  刃
Ｓ  間隙
【図１】
0003218310.tif 000003
【図２】
0003218310.tif 000004
【図３】
0003218310.tif 000005
【図４】
0003218310.tif 000006
【図５】
0003218310.tif 000007